(57)【要約】【課題】ユーザの触感に訴える演出をユーザに提供できる演出装置の提供に資すること。【解決手段】演出装置は、胴体部と、胴体部の内部に位置する発光部と、胴体部と連結したグリップ部と、グリップ部の内部に設けられる振動部と、発光部の発光状態および／または振動部の振動状態を示す演出パターンを含む制御パケットを受信する無線部と、演出パターンに基づいて、発光部の発光状態および／または振動部の振動状態を制御する制御部と、を備える。【選択図】図１
2019079686.tif 000002
【特許請求の範囲】
【請求項１】
胴体部と、
前記胴体部の内部に位置する発光部と、
前記胴体部と連結したグリップ部と、
前記グリップ部の内部に設けられる振動部と、
前記発光部の発光状態および／または前記振動部の振動状態を示す演出パターンを含む制御パケットを受信する無線部と、
前記演出パターンに基づいて、前記発光部の発光状態および／または前記振動部の振動状態を制御する制御部と、
を備える演出装置。
【請求項２】
前記グリップ部は、前記ユーザの手の指を所望の位置に誘導する形状を有する、
請求項１に記載の演出装置。
【請求項３】
前記グリップ部は、前記振動部が配置された一部分が他の部分と異なる形状を有する、
請求項１に記載の演出装置。
【請求項４】
前記グリップ部は、前記振動部が配置された一部分が前記他の部分よりも細い形状である、
請求項３に記載の演出装置。
【請求項５】
前記グリップ部は、前記振動部が配置された一部分が前記他の部分と異なる素材である、
請求項３に記載の演出装置。
【請求項６】
前記グリップ部は、前記振動部が配置された一部分が前記他の部分よりも隆起した形状である、
請求項３に記載の演出装置。
【請求項７】
前記グリップ部は、前記振動部が配置された一部分が前記他の部分よりも掘り下げられた形状である、
請求項３に記載の演出装置。
【請求項８】
前記振動部は、前記グリップ部における前記胴体部に近い位置に設けられる、
請求項１に記載の演出装置。
【請求項９】
前記制御部は、前記発光状態と前記振動状態を個別に制御する、
請求項１に記載の演出装置。
【発明の詳細な説明】
【技術分野】
【０００１】
本開示は、演出装置に関する。
【背景技術】
【０００２】
近年、スタジアム、ホールといった、多くの観客を収容する施設で開催されるイベントでは、観客が所有する演出装置によって、臨場感を与える演出が行われている。
【０００３】
また、ゲームを楽しむユーザに対して臨場感を与える技術として、特許文献１では、ユーザが持つコントローラに振動部が設けられ、ユーザの手に振動を伝える技術が記載されている。
【先行技術文献】
【特許文献】
【０００４】
【特許文献１】国際公開第２０１３/１５７０５２号
【発明の概要】
【発明が解決しようとする課題】
【０００５】
しかしながら、特許文献１に記載された技術では、コントローラのグリップ部の左側に振動部を設けているため、例えば、ユーザが演出装置を握って、頻繁に振るような状況では、振動がユーザに伝わりづらく、ユーザの触感に訴える演出を提供するには十分では無い。
【０００６】
本開示の非限定的な実施例は、ユーザの触感に訴える演出をユーザに提供できる演出装置の提供に資する。
【課題を解決するための手段】
【０００７】
本開示の一態様に係る演出装置は、胴体部と、前記胴体部の内部に位置する発光部と、前記胴体部と連結したグリップ部と、前記グリップ部の内部に設けられる振動部と、前記発光部の発光状態および／または前記振動部の振動状態を示す演出パターンを含む制御パケットを受信する無線部と、前記演出パターンに基づいて、前記発光部の発光状態および／または前記振動部の振動状態を制御する制御部と、を備える。
【０００８】
なお、これらの包括的または具体的な態様は、システム、方法、集積回路、コンピュータプログラム、または、記録媒体で実現されてもよく、システム、装置、方法、集積回路、コンピュータプログラムおよび記録媒体の任意な組み合わせで実現されてもよい。
【発明の効果】
【０００９】
本開示の一態様によれば、ユーザの触感に訴える演出をユーザに提供できることに資する。
【００１０】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１１】
【図１】本開示の一実施の形態に係る演出装置の構成を示す図
【図２】演出装置の外観の形状の一例を示す図
【図３】本開示の一実施の形態に係る演出装置の外観の形状の一例を示す図
【図４】図３に示す演出装置をユーザが握った状態の例を示す図
【図５】本開示の一実施の形態に係る演出システムの一例を示す図
【発明を実施するための形態】
【００１２】
以下、本開示の実施の形態について、図面を参照して詳細に説明する。なお、以下に説明する各実施形態は一例であり、本開示はこれらの実施形態により限定されるものではない。
【００１３】
（一実施の形態）
本開示の実施の形態について、図面を参照して詳細に説明する。
【００１４】
図１は、本実施の形態に係る演出装置１００の構成を示す図である。演出装置１００は、振動部１０１、発光部１０２、制御部１０３、無線部１０４、および、電源部１０５を備える。演出装置１００は、例えば、ユーザが持って操作するペンライトである。
【００１５】
振動部１０１は、例えば、演出装置１００の内部に備えられる振動モータである。振動部１０１は、制御部１０３の制御に基づいて駆動し、演出装置１００を振動させる。
【００１６】
発光部１０２は、例えば、演出装置１００の内部に備えられるＬＥＤ（Light Emitting Diode）ライトである。発光部１０２は、制御部１０３の制御に基づいて点灯、消灯、および、色の変更を行う。なお、発光部１０２は、ＬＥＤに限らず、有機ＥＬ（Electro-Luminescence）および／または電子ペーパーを用いても良い。
【００１７】
制御部１０３は、振動部１０１、発光部１０２、および、無線部１０４を制御する。例えば、制御部１０３は、無線部１０４を介して、演出装置１００を制御する制御データを含む制御パケットを取得し、制御データに含まれる演出パターンに基づいて振動部１０１の振動状態および／または発光部１０２の発光状態を制御する。制御部１０３は、振動部１０１の振動状態および発光部１０２の発光状態を個別に制御しても良い。
【００１８】
制御データには、例えば、振動部１０１を振動させる時間、周期、および、強さを含む振動状態を示すデータ、ならびに、発光部１０２を発光させる時間、周期、色、および、明るさを含む発光状態を示すデータが演出パターンを示すデータとして含まれる。
【００１９】
また、制御部１０３は、取得した制御パケットに応じて、応答パケットを生成し、生成した応答パケットを無線部１０４へ出力する。
【００２０】
無線部１０４は、アンテナおよび信号処理部を備える。無線部１０４は、制御部１０３の制御に基づき、制御装置（例えば、後述する図５のコントローラ３００）と無線通信を行う。無線部１０４は、例えば、特定省電力通信、無線ＬＡＮ（Local Area Network）、Bluetooth（登録商標）の通信規格または通信方式に対応する。あるいは、無線部１０４は、Bluetoothなどの通信規格よりも広いエリアをカバーするＬＰＷＡ（Low Power Wide Area）、ＬｏＲａ、ＮＢ−ＩｏＴ（Narrow Band-Internet of Things）、Ｓｉｇｆｏｘなどの通信規格に対応しても良い。
【００２１】
電源部１０５は、振動部１０１、発光部１０２、制御部１０３、および、無線部１０４に電源を供給する。電源部１０５は、例えば、演出装置１００の内部に搭載される電池である。なお、電源部１０５は、電池に限らず、太陽電池および／またはエナジーハーベスティングを用いても良い。
【００２２】
次に、図１に示した演出装置１００の外観の形状の一例について説明する。
【００２３】
図２は、演出装置５００の外観の形状の一例を示す図である。図３は、本実施の形態に係る演出装置１００の外観の形状の一例を示す図である。演出装置５００と演出装置１００は、例えば、ユーザが持って操作するペンライトである。
【００２４】
図２に示す演出装置５００は、円柱形状を有し、ユーザが握る場所であるグリップ部５００Ｇと、グリップ部５００Ｇの上部に連結し、内部の発光部が発光することにより全体が点灯する演出部５００Ｌとを備える。なお、演出部５００Ｌは円柱形状を用いて説明したが、円柱形状以外でも良い。例えば、演出部５００Ｌは、球状でも良いし、扇型でも良い。
【００２５】
図３に示す、本実施の形態に係る演出装置１００は、ユーザが握る場所であるグリップ部１００Ｇと、グリップ部１００Ｇの上部に連結し、発光部１０２（図１参照）が発光することにより全体が点灯する演出部（胴体部）１００Ｌとを備える。発光部１０２は、演出部１００Ｌの内部に位置する。なお、演出部１００Ｌは円柱形状を用いて説明したが、円柱形状以外でも良い。例えば、演出部１００Ｌは、球状でも良いし、扇型でも良い。
【００２６】
また、図３には、図１に示した演出装置１００の振動部１０１の搭載位置が示される。振動部１０１は、グリップ部１００Ｇの内部に設けられる。例えば、振動部１０１は、演出部１００Ｌに近い位置に設けられる。なお、制御部１０３、無線部１０４、および、電源部１０５の搭載位置は特に限定されない。
【００２７】
また、図２には、演出装置１００の振動部１０１と同様の振動部１０１が演出装置５００に搭載される場合の振動部１０１の搭載位置の一例が示される。振動部１０１は、グリップ部５００Ｇの内部に設けられる。例えば、振動部１０１は、演出部５００Ｌに近い位置に設けられる。
【００２８】
ユーザが持って操作する演出装置（演出装置５００および演出装置１００）は、ユーザが片手で握ることができるように装置のサイズを小さくすることが検討されている。また、演出装置は、例えば、振動部が消費する電力（電源部が供給する電力の供給量）を抑えることが検討されている。
【００２９】
そのため、振動部１０１をグリップ部（グリップ部５００Ｇおよびグリップ部１００Ｇ）に搭載する場合、振動部１０１のサイズを小さくし、振動部１０１が消費する電力を抑えることが検討されている。このため、振動部１０１によって、ユーザに振動をより効率よく伝えるため、演出装置１００における振動部１０１の搭載位置が検討されている。
【００３０】
ユーザが演出装置を片手で握る場合、ユーザは、手の親指の第一関節付近で演出装置を強く握る傾向がある。したがって、振動部１０１は、ユーザが演出装置を片手で握った場合に、親指の第一関節が接触する付近に取り付けられる。
【００３１】
例えば、図２のように、外観の形状が円柱である演出装置５００では、ユーザが演出装置５００のどこを握るかの特定が困難である。例えば、ユーザがグリップ部５００Ｇではなく、演出部５００Ｌを握ることが考えられる。ユーザが演出部５００Ｌを握った場合、グリップ部５００Ｇ内に搭載した振動部１０１の振動がユーザに伝わり難いため、振動部１０１の効果を損ねてしまう。
【００３２】
そのため、本実施の形態に係る演出装置１００では、ユーザが握りやすく、振動部１０１の振動がユーザの手により効率よく伝わるように、グリップ部１００Ｇの形状を規定する。
【００３３】
図３に示す演出装置１００のグリップ部１００Ｇは、ユーザの手の指を所望の位置に誘導する形状を有する。例えば、グリップ部１００Ｇは、振動部１０１の搭載位置を覆う箇所（矢印Ｘが指す箇所）を、他よりも細くした形状を有する。このような形状により、演出装置１００は、ユーザに対してグリップ部１００Ｇを握るように誘導する。また、図３に示す形状により、グリップ部１００Ｇの細い箇所（矢印Ｘが指す箇所）にユーザの親指と人差し指が接触する。そして、ユーザが握る箇所を特定し易く、振動部１０１の振動がユーザの手により効率よく伝わる演出装置１００が構成される。
【００３４】
図４は、図３に示す外観の形状を有する演出装置１００をユーザが握った状態の例を示す図である。
【００３５】
図４に示すように、グリップ部１００Ｇの細い箇所（矢印Ｘが指す箇所）にユーザの親指と人差し指が接触することによって、振動部１０１の振動がユーザの手により効率よく伝わる演出装置１００が実現され、ユーザの触感に訴える演出をユーザに提供できる。
【００３６】
なお、図３および図４に示す演出装置１００の外観の形状は一例であり、本開示はこれに限定されない。例えば、グリップ部１００Ｇは、振動部１０１が配置された一部分が他の部分と異なる形状を有していても良い。例えば、ユーザが演出装置１００を握ったときに、自然に親指が振動部１０１付近を握るように、グリップ部１００Ｇにガイドを設けてもよい。また、グリップ部１００Ｇの親指と人差し指が接触する箇所に掘り下げられた凹み部、または、隆起した凸部をつけてもよい。また、グリップ部１００Ｇと演出部１００Ｌの配色を変えてもよい。また、グリップ部１００Ｇの親指と人差し指が接触する箇所の素材を、グリップ部１００Ｇの他の部分と異なる素材にしてもよい。例えば、グリップ部１００Ｇの他の部分をプラスチックで構成した場合、グリップ部１００Ｇの親指と人差し指が接触する箇所はゴムで構成してもよい。
【００３７】
＜演出装置を用いた演出システム＞
図５は、本実施の形態に係る演出システム４００の一例を示す図である。図５には、３つの演出装置１００（演出装置１００−１〜演出装置１００−３）、ＡＰ（アクセスポイント）２００、コントローラ３００を含む。なお、演出装置１００の数は、３つに限定されず、２つ以下であっても良いし、４つ以上であっても良い。また、ＡＰ２００の数は、１つに限定されず、２つ以上であっても良い。
【００３８】
コントローラ３００は、各演出装置１００における演出パターンを制御する。演出パターンとは、例えば、各演出装置１００の振動部１０１を振動させる時間、周期、および、強さを含む振動状態と、各演出装置１００の発光部１０２を発光させる時間、周期、色、および、明るさを含む発光状態とを含む。なお、演出パターンは、各演出装置１００において、互いに異なっていても良い。
【００３９】
コントローラ３００は、各演出装置１００のＩＤを把握する。そして、コントローラ３００は、各演出装置１００に送信する制御データを生成する。制御データには、演出パターンを示すデータが含まれる。また、制御データには、各演出装置１００に固有の識別子（ＩＤ）が含まれても良い。演出装置１００の固有ＩＤは、例えば、ＭＡＣ（Media Access Control）アドレス、デバイスアドレス、および、デバイスＩＤである。
【００４０】
コントローラ３００は、ＡＰ２００と接続し、ＡＰ２００に対して、各演出装置１００に送信する制御データを出力する。コントローラ３００とＡＰ２００とは、無線で接続しても良いし、有線で接続しても良い。
【００４１】
ＡＰ２００は、無線通信部（図示せず）を備え、各演出装置１００と接続を行う。また、ＡＰ２００は、コントローラ３００から取得する制御データに宛先情報を付与し、制御パケットを生成する。ＡＰ２００は、各演出装置１００へ制御パケットを送信する。
【００４２】
制御パケットには、制御データに加えて、送信元ＩＤと宛先ＩＤが付与される。具体的には、送信元ＩＤは、ＡＰ２００であることを示す識別子（ＭＡＣアドレスおよび／またはデバイスＩＤ）である。宛先ＩＤは、各演出装置１００を示す識別子（ＭＡＣアドレスおよび／またはデバイスＩＤ）である。宛先ＩＤには、演出装置１００毎の識別子の他に、ブロードキャストＩＤが付与されてもよい。宛先ＩＤにブロードキャストＩＤが付与される制御パケットは、複数（全て）の演出装置１００に対してブロードキャストされる。
【００４３】
なお、ＡＰ２００は、接続管理する演出装置１００、例えば、ＡＰ２００の通信可能範囲に存在する演出装置１００の固有ＩＤをコントローラ３００に通知しても良い。
【００４４】
演出装置１００の制御部１０３は、無線部１０４を介して、ＡＰ２００から制御パケットを受信し、制御パケットの復調処理を行い、制御データを取得する。制御部１０３は、取得した制御データに含まれる演出パターンに基づいて、振動部１０１および発光部１０２を制御する。
【００４５】
例えば、制御部１０３は、演出パターンに含まれる振動状態を示すデータに基づいて、振動部１０１において振動させる時間、周期、および、強さを制御する。また、制御部１０３は、演出パターンに含まれる発光状態を示すデータに基づいて、発光部１０２において発光させる時間、周期、色、および、明るさを制御する。
【００４６】
なお、ＡＰ２００は、ＡＰ２００が制御する無線ネットワークの同期を図るために、時刻情報を含むビーコンを各演出装置１００へ送信してもよい。
【００４７】
ビーコンを受信した演出装置１００の制御部１０３は、演出装置１００が管理する時刻情報を、受信したビーコンに含まれる時刻情報に合わせる。
【００４８】
なお、コントローラ３００は、複数の演出装置１００を複数のグループに分けても良い。複数のグループに分ける場合、各グループには、１つ以上の演出装置１００が含まれる。
【００４９】
例えば、図５において、コントローラ３００は、演出装置１００−１をグループＡ、演出装置１００−２および演出装置１００−３をグループＢに分ける。そして、コントローラ３００は、グループ単位で演出パターンを制御しても良い。例えば、コントローラ３００は、グループＡに含まれる演出装置１００（演出装置１００−１）を振動させ、グループＢに含まれる演出装置１００（演出装置１００−２および演出装置１００−３）を振動させないように制御しても良い。あるいは、コントローラ３００は、グループＡに含まれる演出装置１００の振動のパターンとグループＢに含まれる演出装置１００の振動のパターンとが互いに異なる振動のパターンで振動するように制御しても良い。
【００５０】
また、コントローラ３００は、各演出装置１００の発光と振動とを個別に制御しても良い。例えば、コントローラ３００は、発光を制御する場合のグループの分け方と、振動を制御する場合のグループの分け方とを個別に決定しても良い。また、コントローラ３００は、演出装置１００それぞれの振動部１０１と発光部１０２の両方を駆動させてもよいし、どちらかを駆動させてもよい。
【００５１】
なお、上述した実施の形態では、演出装置１００は発光部１０２および振動部１０１を有する、として説明した。演出装置１００は、発光部１０２を有さず、振動部１０１を備えても良い。
【００５２】
また、上述した実施の形態では、演出装置１００は無線部１０４を有する、として説明した。演出装置１００は、無線部１０４を有さなくても良い。例えば、演出装置１００が単独で（例えば、他の演出装置１００と連携せずに）使用される場合である。
【００５３】
この場合、演出装置１００は、記憶部（図示せず）を有し、制御部１０３が記憶部に記憶された演出パターンに基づいて、振動部１０１および／または発光部１０２を制御しても良い。記憶部には複数の演出パターンが記憶されていて、ユーザが複数の演出パターンのうちの１つを選択しても良い。制御部１０３は、ユーザによって選択された演出パターンに基づいて、振動部１０１および／または発光部１０２を制御しても良い。例えば、演出装置１００が操作ボタンおよび／またはスイッチを含む操作部（図示せず）を有し、ユーザが、操作部を操作することによって、演出パターンを選択しても良い。
【００５４】
また、上記実施の形態の説明に用いた各機能ブロックは、典型的には集積回路であるＬＳＩとして実現される。集積回路は、上記実施の形態の説明に用いた各機能ブロックを制御し、入力と出力を備えてもよい。これらは個別に１チップ化されてもよいし、各機能ブロックの一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００５５】
また、集積回路化の手法にはＬＳＩに限らず、専用回路または汎用プロセッサを用いて実現してもよい。ＬＳＩ製造後に、プログラムすることが可能なＦＰＧＡ（Ｆｉｅｌｄ Ｐｒｏｇｒａｍｍａｂｌｅ Ｇａｔｅ Ａｒｒａｙ）、又は、ＬＳＩ内部の回路セルの接続、設定が再構成可能なリコンフィグラブル・プロセッサーを利用してもよい。
【００５６】
更には、半導体技術の進歩または派生する別技術によりＬＳＩに置き換わる集積回路化の技術が登場すれば、当然、別技術を用いて機能ブロックの集積化を行ってもよい。バイオ技術の適用等が可能性としてあり得る。
【００５７】
なお、本開示は、無線通信装置、または制御装置において実行される制御方法として表現することが可能である。また、本開示は、かかる制御方法をコンピュータにより動作させるためのプログラムとして表現することも可能である。更に、本開示は、かかるプログラムをコンピュータによる読み取りが可能な状態で記録した記録媒体として表現することも可能である。すなわち、本開示は、装置、方法、プログラム、記録媒体のうち、いずれのカテゴリーにおいても表現可能である。
【００５８】
以上、図面を参照しながら各種の実施の形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。また、開示の趣旨を逸脱しない範囲において、上記実施の形態における各構成要素を任意に組み合わせてもよい。
【００５９】
＜本開示のまとめ＞
本開示における演出装置は、胴体部と、前記胴体部の内部に位置する発光部と、前記胴体部と連結したグリップ部と、前記グリップ部の内部に設けられる振動部と、前記発光部の発光状態および／または前記振動部の振動状態を示す演出パターンを含む制御パケットを受信する無線部と、前記演出パターンに基づいて、前記発光部の発光状態および／または前記振動部の振動状態を制御する制御部と、を備える。
【００６０】
本開示の演出装置において、前記グリップ部は、前記ユーザの手の指を所望の位置に誘導する形状を有する。
【００６１】
本開示の演出装置において、前記グリップ部は、前記振動部が配置された一部分が他の部分と異なる形状を有する。
【００６２】
本開示の演出装置において、前記グリップ部は、前記振動部が配置された一部分が前記他の部分よりも細い形状である。
【００６３】
本開示の演出装置において、前記グリップ部は、前記振動部が配置された一部分が前記他の部分と異なる素材である。
【００６４】
本開示の演出装置において、前記グリップ部は、前記振動部が配置された一部分が前記他の部分よりも隆起した形状である。
【００６５】
本開示の演出装置において、前記グリップ部は、前記振動部が配置された一部分が前記他の部分よりも掘り下げられた形状である。
【００６６】
本開示の演出装置において、前記振動部は、前記グリップ部における前記胴体部に近い位置に設けられる。
【００６７】
本開示の演出装置において、前記制御部は、前記発光状態と前記振動状態を個別に制御する。
【産業上の利用可能性】
【００６８】
本開示は、ペンライト等の演出装置に有用である。
【符号の説明】
【００６９】
１００、５００  演出装置
１００Ｇ、５００Ｇ  グリップ部
１００Ｌ、５００Ｌ  演出部（胴体部）
１０１  振動部
１０２  発光部
１０３  制御部
１０４  無線部
１０５  電源部
２００  ＡＰ（アクセスポイント）
３００  コントローラ
４００  演出システム
【図１】
2019079686.tif 000003
【図２】
2019079686.tif 000004
【図３】
2019079686.tif 000005
【図４】
2019079686.tif 000006
【図５】
2019079686.tif 000007